(57)【要約】      （修正有）【課題】簡単な手間で傘布を結束状態に保持でき、様々な太さの傘に対応でき且つ手を使わずに傘を略直立状態に維持できる、傘の保持部材を提供する。【解決手段】保持部材１００は、傘２００を握持する握持部材と、線状部材１２０を用いて握持部材に吊り下げられた札状部材１３０とを備える。握持部材は、一対の握持片を備える。握持片は、それぞれ、傘２００を囲むように湾曲した挟み部１１１ａ，１１２ａと、支持軸１１３が挿通される回転支持部１１１ｂ，１１２ｂと、開閉操作用の摘まみ部１１１ｃ，１１２ｃとを備える。摘まみ部１１１ｃ，１１２ｃを操作して、挟み部１１１ａ，１１２ａで挟むことにより、傘２００を、その太さに拘わらず、確実に握持できる。更に、利用者の着座時に、太股と座席との間に札状部材１３０を挟むことで、傘２００を略直立状態に維持できる。【選択図】図５
0003183745.tif 000002
【実用新案登録請求の範囲】
【請求項１】
長尺部材を握持する握持器具であって、
共通の支持軸によって回転自在に保持された一対の握持片を備え、
該一対の握持片には、それぞれ、前記長尺部材を介して互いに対向するように配置され且つ該長尺部材を囲む方向に湾曲した挟み部と、前記支持軸を介して該挟み部とは反対側に形成された摘まみ部とを備え、
該一対の握持片は、付勢部材によって互いに近づく方向に付勢されることで前記長尺部材を握持し、且つ、前記摘まみ部を該付勢部材の付勢力に逆らって互いに近づく方向に押圧することで前記長尺部材の握持を解除する、
ことを特徴とする握持器具。
【請求項２】
前記挟み部の内面側に、前記長尺部材の側面に当接させるための複数の突起が形成されたことを特徴とする請求項１に記載の握持器具。
【請求項３】
前記一対の握持片の各挟み部は、それぞれ、該挟み部の他の部分よりも幅狭の先端部を有し、これらの先端部は、該挟み部が閉じたときに互いに交差するように形成されたことを特徴とする請求項１又は２に記載の握持器具。
【請求項４】
請求項１乃至３の何れかに記載の握持器具と、線状部材を用いて該握持器具に吊持された札状部材とを備えることを特徴とする、長尺部材の保持器具
【請求項５】
前記線状部材に、複数の前記札状部材が吊持されたことを特徴とする請求項４に記載の長尺部材の保持器具。
【考案の詳細な説明】
【技術分野】
【０００１】
本考案は、例えば、傘等の長尺部材を握持して傘布を結束状体に保つため等に使用される握持器具及びこれを用いた保持器具に関する。
【背景技術】
【０００２】
傘を閉じた際には、この傘の傘布が、三角巾状に折り畳まれた状態で垂れ下がることになる。このような状態では、濡れた傘布が利用者自身や周囲の他人の衣服等を濡らしてしまう場合がある。このため、通常の傘では、傘布に巻き付けベルトが固着されている。利用者は、傘布を親骨外周に巻き付けて結束したのち、この巻き付けベルトをさらに巻き付けることにより、傘布を結束状態に保つ。
【０００３】
また、巻き付けベルトよりも容易に傘布の結束状態を保つ器具として、例えば下記特許文献１に記載された傘用留め具が知られている。特許文献１の傘用留め具では、結束された傘布に巻き付け、一対の嵌合部同士を嵌合させることで、傘布を結束状態に保つことができる。
【先行技術文献】
【特許文献】
【０００４】
【特許文献１】特開２００５−３２３８９１号公報
【考案の概要】
【考案が解決しようとする課題】
【０００５】
しかしながら、特許文献１の傘用留め具も、結束された傘布に巻き付けなければならない点では、上記巻き付けベルトと同様である。従って、特許文献１の傘用留め具も、簡単な手間のみで傘布の結束状態を保つという点では、不十分である。
【０００６】
また、特許文献１の傘用留め具は、嵌合部間の距離や湾曲部の曲率を調節することができない。このため、例えば非常に細い傘に使用しようとしても、傘用留め具を強固に固定することができず、下方にずれてしまう可能性が有る。従って、特許文献１の傘用留め具は、太さが異なる様々な傘に共通して使用することが困難である。
【０００７】
更には、例えば使用者が電車などの座席に着座した場合、傘等を立てかける場所が無いために、この傘等を手で持って略直立に支え続ける必要があり、傘の使用者にとっては非常に面倒である。これに対して、特許文献１の傘用留め具は、傘布を結束状態に保つことのみに主眼を置いているため、このような課題を解決することはできない。
【０００８】
この考案は、簡単な手間のみで使用することができ、且つ、太さが異なる様々な傘等に共通して使用できる、握持器具及びこれを用いた保持器具を提供することを目的とする。
【課題を解決するための手段】
【０００９】
請求項１の考案に係る握持器具は、長尺部材を握持する握持器具であって、共通の支持軸によって回転自在に保持された一対の握持片を備え、該一対の握持片には、それぞれ、前記長尺部材を介して互いに対向するように配置され且つ該長尺部材を囲む方向に湾曲した挟み部と、前記支持軸を介して該挟み部とは反対側に形成された摘まみ部とを備え、該一対の握持片は、付勢部材によって互いに近づく方向に付勢されることで前記長尺部材を握持し、且つ、前記摘まみ部を該付勢部材の付勢力に逆らって互いに近づく方向に押圧することで前記長尺部材の握持を解除することを特徴とする。
【００１０】
請求項２の考案に係る握持器具は、請求項１に記載の構成に加え、前記挟み部の内面側に、前記長尺部材の側面に当接させるための複数の突起が形成されたことを特徴とする。
【００１１】
請求項３の考案に係る握持器具は、請求項１又は２に記載の構成に加え、前記一対の握持片の各挟み部は、それぞれ、該挟み部の他の部分よりも幅狭の先端部を有し、これらの先端部は、該挟み部が閉じたときに互いに交差するように形成されたことを特徴とする。
【００１２】
請求項４の考案に係る長尺部材の保持器具は、請求項１乃至３の何れかに記載の握持器具と、線状部材を用いて該握持器具に吊持された札状部材とを備えることを特徴とする。
【００１３】
請求項５の考案に係る長尺部材の保持器具は、請求項４に記載の構成に加え、前記線状部材に、複数の前記札状部材が吊持されたことを特徴とする。
【考案の効果】
【００１４】
請求項１の考案によれば、使用者が摘まみ部を押圧して挟み部を開いたのち、この挟み部の間に長尺部材を挟むことで、長尺部材を握持することができる。従って、簡単な手間のみで握持できるとともに、太さが異なる様々な長尺部材に使用することができる。
【００１５】
請求項２の考案によれば、挟み部に複数の突起を設けたので、挟み部が長尺部材の長手方向にずれ難くなる。
【００１６】
請求項３の考案によれば、一対の握持片の各挟み部の先端を、該挟み部が閉じたときに互いに交差するように形成したので、長尺部材の太さの大小に拘わらず、握持器具を外れ難くすることができる。
【００１７】
請求項４の考案によれば、使用者は、太股と座席との間に札状部材を挟むことにより、手を使わずに、長尺部材を略直立状態に維持することができる。
【００１８】
請求項５の考案によれば、複数の札状部材を互いに違う角度となるよう配置して、太股と座席との間に挟み込むことにより、該札状部材を抜け難くすることができる。
【図面の簡単な説明】
【００１９】
【図１】本考案の一実施形態に係る保持器具の構成を示す正面図である。
【図２】同実施形態に係る保持器具の構成を示す平面図である。
【図３】同実施形態に係る保持器具の構成を示す左側面図である。
【図４】同実施形態に係る保持器具の構成を示す右側面図である。
【図５】同実施形態に係る保持器具の握持器具を開いた状態を示す平面図である。
【図６】同実施形態に係る保持器具の使用方法を説明する概念図である。
【考案を実施するための形態】
【００２０】
［考案の実施の形態１］
以下、本考案に係る保持器具の実施の形態につき、この保持器具を傘の保持に使用する場合を例に採って説明する。
【００２１】
図１乃至図５は、実施の形態１に係る保持器具の構成を示しており、図１は正面図、図２は平面図、図３は左側面図、図４は右側面図、図５は握持器具を開いた状態の平面図である。
【００２２】
図１乃至図５に示したように、この保持器具１００は、握持器具１１０と、線状部材１２０と、札状部材１３０とを備えている。
【００２３】
握持器具１１０は、一対の握持片１１１，１１２を備えている。握持片１１１，１１２は、例えば硬質の樹脂によって形成することができる。握持片１１１は、平面視が略半円状で且つ正面視が略台形状の挟み部１１１ａと、支持軸１１３が挿通される回転支持部１１１ｂと、この支持軸１１３を介して挟み部１１１ａとは反対側に形成された摘まみ部１１１ｃとを備えている。同様に、握持片１１２は、平面視が略半円状で且つ正面視が略台形状の挟み部１１２ａと、支持軸１１３が挿通される回転支持部１１２ｂと、この支持軸１１３を介して挟み部１１２ａとは反対側に形成された摘まみ部１１２ｃとを備えている。
【００２４】
図５に示したように、挟み部１１１ａ，１１２ａは、傘２００を介して、互いに対向するように配置され、また、傘２００を囲む方向に湾曲している。
【００２５】
また、握持器具１１０は、ばね１１４を備えている（図４参照）。このばね１１４は、握持片１１１，１１２を、互いに近づく方向に付勢する。この付勢力によって、傘２００が握持される。一方、握持片１１１，１１２による傘２００の握持を解除するためには、利用者の指で、摘まみ部１１１ｃ，１１２ｃを互いに近づく方向に押圧すればよい。これにより、握持片１１１，１１２は、ばね１１４の付勢力に逆らって、互いに離間する方向に回転する。
【００２６】
挟み部１１１ａ，１１２ａの内側面には、それぞれ、複数の突起１１１ｄ，１１２ｄが設けられている。握持器具１１０が傘２００を握持したとき、これらの突起１１１ｄ，１１２ｄは、ばね１１４の付勢力によって、傘２００の傘布（図示せず）に、押し付けられる。これにより、握持器具１１０は傘２００を強固に挟持でき、傘２００の長手方向にずれ難くなる。突起１１１ｄ，１１２ｄの角度は、傘布を押圧する方向が傘２００の略半径方向となるように、設定されることが望ましい。
【００２７】
また、握持片１１１，１１２の先端部１１１ｅ，１１２ｅは、これら握持片１１１，１１２の他の部分（すなわち基端部１１１ｆ，１１２ｆ）よりも、幅狭に形成されている。そして、挟み部１１１ｃ，１１２ｃが閉じたとき、先端部１１１ｅは基端部１１２ｆに当接し、また、先端部１１２ｅは基端部１１１ｆに当接する。このようにして、先端部１１１ｅ，１１２ｅは、挟み部１１１ｃ，１１２ｃが閉じたときに、互いに交差する状態で静止するように形成されている。これにより、傘２００が非常に太い場合でも、この傘２００の外周全域を握持片１１１，１１２によって囲む状態で握持することができ、従って、傘２００を横方向に外れ難くすることができる。その一方で、この傘２００が非常に細い場合や、傘のハンドル部２０１（図６参照）を握持させる場合でも、握持片１１１，１１２同士が干渉すること無しに、この傘２００を確実に握持することができる。
【００２８】
なお、握持片１１１，１１２の外側面には、例えば略半球状の装飾パーツ１１１ｇ，１１２ｇを多数固着して、装飾性を高めることができる。
【００２９】
線状部材１２０は、例えば握持片１１１の貫通穴１１２ｈ（図１参照）に挿通することによって、握持器具１１０に取り付けられる。線状部材１２０としては、例えば、繊維製の紐や、鎖、ゴム紐等を使用できるが、この実施の形態１では、球鎖を使用している。なお、この実施の形態１では、線状部材１２０を環状としたが、環状に限定する必要は無く、札状部材１３０を吊持することができれば良い。
【００３０】
線状部材１２０には、一枚又は複数枚（例えば３枚）の札状部材１３０が吊持される。札状部材１３０は、軟質樹脂等のシートであっても良いし、硬質樹脂や金属等のプレートであっても良いし、他のものであっても良い。また、札状部材１３０の形状は任意であるが、この実施の形態１では、装飾性を高めるために星形を採用した。
【００３１】
図６は、保持器具１００の使用方法を説明する概念図である。
【００３２】
図６に示したように、この実施の形態１によれば、傘２００の傘布を結束したのち、握持部材１１０で握持するだけで、この結束状体を保つことができる。また、傘を使用する場合には、摘まみ部１１１ｃ，１１２ｃを用いて、この握持状態を解除するだけで良い。従って、この実施の形態１によれば、傘２００の結束状態の保持、解除が、非常に簡単である。
【００３３】
また、図６に示したように、利用者３００は、座席４００に着座した際、自身の太股３０１と座席上面４０１との間に、札状部材１３０を挟み込む。これにより、利用者３００は、手を使うことなしに、傘２００を、略直立状態に維持することができる。
【００３４】
このとき、複数の札状部材１３０を、互いに違う角度となるよう配置してから、挟み込むことが望ましい。これにより、太股３０１や座席上面４０１と札状部材１３０との接触面積を増やして摩擦力を大きくすることができるので、この札状部材１３０を抜け難くすることができる。
【００３５】
また、傘２００の使用時においては、握持器具１１０を、ハンドル部２０１に挟持させておくことができる。すなわち、利用者３００は、保持器具１００を、衣服のポケットや鞄等に収容しておく必要は無い。この結果、使用者３００は、保持器具１００が濡れているような場合でも、衣服や鞄等を濡らすこと無しに、この保持器具１００を持ち歩くことができる。
【００３６】
この実施の形態１では、保持器具１００を傘に使用する場合を例に採って説明したが、例えば杖等の、他の長尺部材の保持に使用することも可能である。
【符号の説明】
【００３７】
１００  保持器具
１１０  握持器具
１１１，１１２  握持片
１１１ａ，１１２ａ  挟み部
１１１ｂ，１１２ｂ  回転支持部
１１１ｃ，１１２ｃ  摘まみ部
１１１ｄ，１１２ｄ  突起
１１１ｅ，１１２ｅ  先端部
１１１ｆ，１１２ｆ  基端部
１１１ｇ，１１２ｇ  装飾パーツ
１１２ｈ  貫通穴
１２０  線状部材
１３０  札状部材
２００  傘
３００  利用者
４００  座席
【図１】
0003183745.tif 000003
【図２】
0003183745.tif 000004
【図３】
0003183745.tif 000005
【図４】
0003183745.tif 000006
【図５】
0003183745.tif 000007
【図６】
0003183745.tif 000008